(57)【特許請求の範囲】
【請求項１】
キャビネット本体上には水栓金具を設け、キャビネット本体内にはその水栓金具に連結される連結配管を備え、その連結配管を床板の下方又は壁板の外方の給水又は給湯配管に接続したキャビネットであって、
前記キャビネット本体内には仕切り壁を設け、その仕切り壁には点検口を設けるとともに、前記連結配管を床板又は壁板に透設された挿通孔から引き出された前記給水又は給湯配管に接続するための接続金具を設け、その接続金具には、合成樹脂製の前記給水又は給湯配管を差し込むだけで当該接続金具に接続する継手を備えた接続金具付きキャビネット。
【請求項２】
前記キャビネット本体内には、連結配管を挿通して所定方向にガイドするためのガイド部材を備えた請求項１に記載の接続金具付きキャビネット。
【請求項３】
前記継手は、給水又は給湯配管を挿入可能な金具本体と、この金具本体の配管挿入側に設けられた収容溝内に収容される抜け止めリングと、前記金具本体の配管挿入側の端部に取り付けられて前記抜け止めリングの抜け落ちを防ぐキャップとにより構成され、前記抜け止めリングの一端縁に設けられた内方へ突出する複数の爪が配管の外周面に食い込むことにより前記給水又は給湯配管を抜け止めする請求項１又は請求項２に記載の接続金具付きキャビネット。
【発明の詳細な説明】
【０００１】
【発明の属する技術分野】
この発明は、洗面台や台所の流し台等の下部に一体的に設けて小物等を収納するキャビネットにおいて、床板の下方又は壁板の外方の給水又は給湯配管に接続するための接続金具をキャビネット本体に備えた接続金具付きキャビネットに関するものである。
【０００２】
【従来の技術】
従来、この種のキャビネットにおいては、キャビネット本体上の水栓金具が、キャビネット本体内の連結配管を介して、床板の下方や壁板の外方の例えば給水配管に接続されている。給水配管が床板の下方にある場合には、連結配管は床下にまで延設され、床板の下方の接続部において、給水配管に接続されるようになっている。また、給水配管が壁板の外方にある場合には、連結配管はキャビネット本体内で壁板側へ屈曲されて壁裏にまで延設され、壁板の外方の接続部において、給水配管に接続されるようになっている。
【０００３】
【発明が解決しようとする課題】
ところが、この従来構成においては、連結配管と給水配管との接続部は床板の下方や壁板の外方に形成されている。このため、配管の接続を行う場合や接続部の部品交換を行う場合に、床板や壁板に設けられた孔に手を入れて狭い床下や壁裏で作業を行ったり、床板や壁板をはがして作業をする必要があり、作業が困難であるという問題があった。
【０００４】
この発明は、上記のような従来技術に存在する問題点に着目してなされたものである。その目的とするところは、キャビネット本体内の連結配管と床板の下方又は壁板の外方の給水又は給湯配管とを容易に接続することができ、施工性を向上させることができる接続金具付きキャビネットを提供することにある。
【０００５】
【課題を解決するための手段】
上記の目的を達成するために、請求項１に記載の発明の接続金具付きキャビネットは、キャビネット本体上には水栓金具を設け、キャビネット本体内にはその水栓金具に連結される連結配管を備え、その連結配管を床板の下方又は壁板の外方の給水又は給湯配管に接続したキャビネットであって、前記キャビネット本体内には仕切り壁を設け、その仕切り壁には点検口を設けるとともに、前記連結配管を床板又は壁板に透設された挿通孔から引き出された前記給水又は給湯配管に接続するための接続金具を設けた。そして、前記接続金具には、合成樹脂製の前記給水又は給湯配管を差し込むだけで当該接続金具に接続する継手を備えるようにした。
【０００６】
請求項２に記載の発明の接続金具付きキャビネットは、請求項１に記載の発明において、前記キャビネット本体内には、連結配管を挿通して所定方向にガイドするためのガイド部材を備えたものである。
【０００７】
請求項３に記載の発明の接続金具付きキャビネットは、請求項１又は請求項２に記載の発明において、前記継手は、給水又は給湯配管を挿入可能な金具本体と、この金具本体の配管挿入側に設けられた収容溝内に収容される抜け止めリングと、前記金具本体の配管挿入側の端部に取り付けられて前記抜け止めリングの抜け落ちを防ぐキャップとにより構成され、前記抜け止めリングの一端縁に設けられた内方へ突出する複数の爪が配管の外周面に食い込むことにより前記給水又は給湯配管を抜け止めするものである。
【０００８】
【発明の実施の形態】
（第１実施形態）
以下、この発明の第１実施形態を図１〜図５に従って説明する。
【０００９】
図１に示すように、接続金具付きキャビネット１１は、キャビネット本体１２、シンク１３、水栓金具１４及び連結配管１５により構成されたキャビネットに、連結配管１５を給水配管１６に接続するための接続金具１７を設けることにより形成されている。前記キャビネット本体１２は四角箱状に形成され、洗面所や台所等の床板１８の上に壁板１９に沿うようにして載置されている。また、シンク１３は有底箱状に形成され、キャビネット本体１２の上面に設けられている。シンク１３の底面には排水口２０が設けられ、この排水口２０を通ってシンク１３内の水が排水配管２１に排水されるようになっている。
【００１０】
水栓金具１４は、キャビネット本体１２の上部に設けられ、キャビネット本体１２内の連結配管１５の上端が接続されている。接続金具１７は、キャビネット本体１２内の仕切り壁としての底板２２に設けられ、この接続金具１７の上部の接続部には湾曲した連結配管１５の下端が接続され、下部の接続部は開放されている。そして、この開放された下部の接続部に給水配管１６を接続することによって、連結配管１５と給水配管１６とが接続され連通するようになっている。
【００１１】
また、底板２２には点検口２３が設けられ、給水配管１６を接続金具１７に接続する等の作業を容易に行えるようになっている。また、点検口カバー２４は底板２２にビス２４ａをねじ込むことにより回動可能に支持され、点検口２３を使用しないときには点検口２３を塞ぐことができるようになっている。
【００１２】
給水配管１６は、ポリブテン、架橋ポリエチレン等の合成樹脂製の配管により形成され、床板１８の下方に配設されて支持金具２５により下床２６に支持固定されている。この給水配管１６の先端部は上方へ曲げられ、床板１８に透設された挿通孔２７を通って室内に引き出されて接続金具１７の下部の接続部に接続される。
【００１３】
図２に示すように、前記接続金具１７は金具本体２８、袋ナット２９、Ｏリング３０、キャップ３１、抜け止めリング３２、パッキン３３及び一対の座金３４により構成されている。また、これらの中で金具本体２８、抜け止めリング３２及びキャップ３１等により給水配管１６を接続するための継手３５が構成されている。
【００１４】
円筒状をなす金具本体２８の両端外周面にはそれぞれ雄ねじ部２８ａが形成されている。そして、この金具本体２８は、底板２２に設けられた円孔３６に挿入され、上下両端の雄ねじ部２８ａにそれぞれ座金３４を介装して袋ナット２９及びキャップ３１を螺合することにより、底板２２に固定されている。また、金具本体２８の上端面には接続突起３７が形成され、この接続突起３７にはＯリング３０を介装して連結配管１５が嵌合され、これにより連結配管１５は金具本体２８に接続されている。
【００１５】
図３に示すように、金具本体２８の下端内周には収容溝３８が設けられ、この収容溝３８の上面には第１段差３８ａが形成され、収容溝３８の中間部には第２段差３８ｂが形成されている。抜け止めリング３２は、第２段差３８ｂに当接するように収容溝３８内に装入され、その抜け止めリング３２の下部にはパッキン３３が装入されている。また、給水配管１６は、収容溝３８内の第１段差３８ａに当接するまで挿入されるようになっている。そして、金具本体２８の下端の雄ねじ部２８ａにキャップ３１を螺合することにより、抜け止めリング３２及びパッキン３３は収容溝３８内に抜け止めされている。図４に示すように、抜け止めリング３２は円筒状に形成され、その一端の内周縁にはフランジ３９が設けられている。複数の爪４０は、このフランジ３９の内周部に等間隔をおいて突出形成されている。
【００１６】
そして、図３に示すように、給水配管１６をキャップ３１の開口部から挿入すると、抜け止めリング３２の爪４０が上方へ屈曲された状態となる。そして、この状態で給水配管１６に引き抜き方向の力が作用すると、爪４０の先端部が給水配管１６の外周面に食い込んで給水配管１６の抜け落ちを防ぐようになっている。こうして、給水配管１６は金具本体２８に接続され、接続金具１７を介して連結配管１５と給水配管１６とが接続される。
【００１７】
次に、前記のように構成された接続金具付きキャビネット１１の作用を説明する。
さて、キャビネット本体１２内の連結配管１５と床板１８の下方の給水配管１６とを接続する場合には、図５に示すように、まず接続金具付きキャビネット１１を、接続金具１７の上部の接続部には連結配管１５が接続され、下部の継手３５には何も接続されていない状態に形成する。
【００１８】
そして、キャビネット本体１２を下降させるとともに、給水配管１６の先端部を床板１８の挿通孔２７から室内に引き出して接続金具１７下部のキャップ３１の開口部に差し込み、その先端部が収容溝３８の第１段差３８ａに当接するまで挿入する。これにより、図１及び図３に示すように、給水配管１６は接続金具１７に挿入するだけで、つまりワンタッチで接続され、キャビネット本体１２内の連結配管１５に給水配管１６が接続される。
【００１９】
以上のように、この第１実施形態によれば次のような効果が発揮される。
・第１実施形態の接続金具付きキャビネット１１によれば、接続金具１７はキャビネット本体１２内の底板２２に設けられ、この接続金具１７において連結配管１５と給水配管１６とが接続されている。このため、連結配管１５と給水配管１６とを接続する場合に、床板１８に孔を設けてその孔から手を入れて床板１８の下方で作業を行ったり、床板１８をはがして作業したりする必要がない。従って、連結配管１５と給水配管１６とを容易に接続することができ、施工性を向上させることができる。
【００２０】
・第１実施形態の接続金具付きキャビネット１１によれば、給水配管１６は合成樹脂製の配管で形成されている。そして、その給水配管１６をキャップ３１の開口部から継手３５内に挿入すると、引き抜き方向の力が給水配管１６に作用したときに抜け止めリング３２の爪４０がその外周面に食い込んで給水配管１６を継手３５内に抜け止するようになっている。このため、給水配管１６をキャップ３１の開口部に差し込むだけで給水配管１６を接続金具１７に接続することができる。従って、連結配管１５と給水配管１６をワンタッチで接続することができ、施工性をさらに向上させることができる。
【００２１】
（第２実施形態）
次に、この発明の第２実施形態を図６に従って説明する。
さて、この第２実施形態の接続金具付きキャビネット１１においては、連結配管１５は水栓金具１４との接続部から下方へ真っ直ぐに延設され、接続金具１７の上部の接続部に接続されている。また、止水栓４１は連結配管１５の中間部に設けられ、水栓金具１４への水の供給を遮断できるようになっている。なお、その他の部分は前述した第１実施形態と同様に構成されている。
【００２２】
従って、この第２実施形態によれば、前記第１実施形態と同様の作用効果を奏することができるほか、水栓金具１４を交換したり修理したりする場合には、止水栓４１を閉弁して作業を行うことができる。
【００２３】
なお、前記各実施形態を次のように変更して構成することもできる。
・図７に示すように、接続金具１７をキャビネット本体１２内の仕切り壁としての後面パネル板４２に設けるとともに、連結配管１５の下端を曲げ形成して接続金具１７の内側の接続部に接続すること。さらに、後面パネル板４２の接続金具１７近傍に点検口２３を設けるとともに、その点検口２３を開閉するための点検口カバー２４をビス２４ａにより回動可能に設けること。そして、壁板１９の裏面に沿うように配設された給水配管１６を室内側へ曲げ、壁板１９に透設された挿通孔２７からその先端部を引き出して接続金具１７の外側の接続部に接続するように構成すること。
【００２４】
このように構成した場合、給水配管１６が壁板１９からしか引き出せないような場合にも、接続金具１７を介して給水配管１６をキャビネット本体１２内の連結配管１５に接続することができ、前記各実施形態と同様の効果を奏することができる。
【００２５】
・図８に示すように、給水配管１６が接続される接続金具１７の下部の接続部を、上部の連結配管１５との接続部と同様に袋ナット２９、Ｏリング３０等により構成すること。このように構成した場合、両接続部で部品を共用することが可能であり、コストの節減を図ることができる。
【００２６】
・給水配管１６に代えて給湯配管に連結配管１５を接続するように変更すること。このように構成した場合でも前記各実施形態と同様の効果を奏することができる。
【００２７】
・図９に示すように、湾曲形成した金属製のガイド部材としてのガイド筒４３を接続金具１７の上端に設け、このガイド筒４３内に合成樹脂製の連結配管１５を挿通するように構成すること。さらに、後面パネル板４２に横Ｔ字状をなすガイド部材としての固定金具４４を設け、その円筒部４４ａに連結配管１５を挿通して連結配管１５を水栓金具１４とガイド筒４３との間において固定するように構成すること。
【００２８】
このように構成した場合、連結配管１５は、下端がガイド筒４３によって接続金具１７の上部の接続部まで導かれるとともに、水栓金具１４とガイド筒４３との間において固定金具４４によって後面パネル板４２に支持固定されている。このため、連結配管１５をキャビネット本体１２内の所定位置に規制することができ、キャビネット本体１２内に小物類を収納する場合等に連結配管１５が邪魔になるおそれがない。
【００２９】
・図１０に示すように、ガイド部材としてのガイド体４５を底板２２と後面パネル板４２に、ガイド体４５の取付片４６の孔から固定ピン４７をねじ込んで固定すること。また、ガイド体４５を板材により箱状に形成し、このガイド体４５の上面には水栓金具１４の下方に対応する位置に透設孔４５ａを設け、底面には接続金具１７に対応する位置に透設孔４５ｂを設けること。そして、連結配管１５を透設孔４５ａ、４５ｂからガイド体４５内に挿入するように構成すること。
【００３０】
このように構成した場合、連結配管１５をガイド体４５内に規制することができ、キャビネット本体１２内に小物類を収納する場合等に連結配管１５が邪魔になるおそれがない。
【００３１】
・連結配管１５と給水配管１６をともに合成樹脂製の配管で形成するとともに、接続金具１７の上下両端の接続部には連結配管１５及び給水配管１６をそれぞれワンタッチで接続するための継手３５を設けること。
【００３２】
このように構成した場合、両接続部で部品を共有することが可能であり、コストの節減を図ることができる。また、連結配管１５及び給水配管１６をワンタッチで接続金具１７に接続することができるため、施工性をさらに向上させることができる。
【００３３】
・連結配管１５を合成樹脂製の配管で形成し、この連結配管１５を継手３５によりワンタッチで接続金具１７の上部に接続できるように構成するとともに、給水配管１６を袋ナット２９等を使って接続金具１７の下部に接続するように構成すること。このように構成した場合でも前記各実施形態と同様の効果を奏することができる。
【００３４】
・図１１に示すように、前記第２実施形態において、接続金具１７と止水栓４１とを一体的に構成すること。このように構成した場合、袋ナット２９、ナット等の部品点数を減らして構成を簡単にすることができる。
【００３５】
次に、前記各実施形態から把握できる技術的思想について以下に記載する。
（１）前記連結配管には止水栓を備えた請求項１から請求項３のいずれか一項に記載の接続金具付きキャビネット。このように構成した場合、止水栓を閉じることにより水栓金具への水の供給を遮断することができる。
【００３６】
（２）前記接続金具と止水栓とを一体的に構成した上記（１）に記載の接続金具付きキャビネット。このように構成した場合、部品点数を減らして構成を簡単にすることができる。
【００３７】
（３）前記接続金具は、給水若しくは給湯配管又は連結配管を挿入可能な金具本体を備え、この金具本体の配管挿入側の端部内周には収容溝を設けるとともに、継手は金具本体と、収容溝内に収容された抜け止めリングと、金具本体の配管挿入側の端部に取り付けられて抜け止めリングの抜け落ちを防ぐキャップとにより構成し、その抜け止めリングの一端縁に設けられた内方へ突出する複数の爪が配管の外周面に食い込むことにより配管を抜け止めするように構成した。
【００３８】
このように構成した場合、合成樹脂製の配管で形成された給水若しくは給湯配管又は連結配管を継手に挿入することによって、その配管を接続金具にワンタッチで簡単に接続することができる。
【００３９】
（４）前記爪は、抜け止めリングの一端縁に周方向にほぼ等間隔をおいて設けられた上記（３）に記載の接続金具付きキャビネット。
このように構成した場合、配管に引き抜き方向の力が作用したときに、その力の方向に関わらず均等に配管の抜け落ちを防ぐことができる。
【００４０】
【発明の効果】
この発明は、以上のように構成されているため、次のような効果を奏する。
請求項１に記載の発明の接続金具付きキャビネットによれば、連結配管を給水又は給湯配管に接続するための接続金具は、キャビネット本体内の仕切り壁に設けられている。そして、この仕切り壁には点検口を設けた。このため、キャビネット本体内の連結配管と床板の下方又は壁板の外方の給水又は給湯配管とを容易に接続することができ、施工性を向上させることができる。しかも、前記接続金具には、合成樹脂製の前記給水又は給湯配管を差し込むだけで当該接続金具に接続する継手を備えたため、施工性をさらに向上させることができる。
【００４１】
請求項２に記載の発明の接続金具付きキャビネットによれば、キャビネット本体内にはガイド部材が設けられ、連結配管はこのガイド部材に挿通されて所定位置にガイドされるようになっている。このため、請求項１に記載の発明の効果に加え、連結配管をキャビネット本体内の所定位置に規制することができ、キャビネット本体内に小物類を収納する場合等に、連結配管が邪魔になるおそれがない。
【００４２】
請求項３に記載の発明の接続金具付きキャビネットによれば、請求項１又は請求項２に記載の発明の効果に加え、合成樹脂製の前記給水又は給湯配管を継手に挿入するだけで、その配管を接続金具にワンタッチで簡単に接続することができる。
【図面の簡単な説明】
【図１】  接続金具付きキャビネットの第１実施形態を示す断面図。
【図２】  その接続金具付きキャビネットの接続金具を示す分解斜視図。
【図３】  同じく接続金具の継手の構造を示す部分断面図。
【図４】  継手を構成する抜け止めリングを示す斜視図。
【図５】  キャビネットに給水配管を接続する状態を示す断面図。
【図６】  この発明の第２実施形態を示す断面図。
【図７】  接続金具の取付位置の別例を示す断面図。
【図８】  接続金具の別例を示す分解斜視図。
【図９】  ガイド筒及び固定金具を設けた別例を示す断面図。
【図１０】  ガイド体を設けた別例を示す部分斜視図。
【図１１】  止水栓と一体的に構成した接続金具の別例を示す部分断面図。
【符号の説明】
１１…接続金具付きキャビネット、１２…キャビネット本体、１４…水栓金具、１５…連結配管、１６…給水配管、１７…接続金具、１８…床板、１９…壁板、２２…仕切り壁としての底板、２７…挿通孔、３５…継手、４２…仕切り壁としての後面パネル板、４３…ガイド部材としてのガイド筒、４４…ガイド部材としての固定金具、４５…ガイド部材としてのガイド体。
【図１】
0003999904.tif 000002
【図２】
0003999904.tif 000003
【図３】
0003999904.tif 000004
【図４】
0003999904.tif 000005
【図５】
0003999904.tif 000006
【図６】
0003999904.tif 000007
【図７】
0003999904.tif 000008
【図８】
0003999904.tif 000009
【図９】
0003999904.tif 000010
【図１０】
0003999904.tif 000011
【図１１】
0003999904.tif 000012